(57)【要約】【課題】使用後に高温便座除菌するという使用者にとって有用な機能を備えたとき、この機能の終了後に熱いという不快な思いをさせない便座装置を提供すること。【解決手段】便座１を開閉する駆動手段４を備え、使用後にヒータ２を所定温度に上昇させる便座除菌モードに切り換え、前記便座除菌モード終了後、前記便座１の開閉を所定回数行うことにより、高温になっている便座温度を短時間で適温まで下げることとなり、清潔で安全性の高い便座装置を提供することができる。【選択図】図１
2006314359.tif 000002
【特許請求の範囲】
【請求項１】
便座内部に配設された便座表面を加熱するヒータと、便座の温度を検知する温度検知素子と、便座を開閉する駆動手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記便座の開閉を所定回数行う便座装置。
【請求項２】
便座内部に配設された便座表面を加熱するヒータと、便座の温度を検知する温度検知素子と、便蓋を開閉する駆動手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記便蓋の開閉を所定回数行う便座装置。
【請求項３】
便座内部に配設された便座表面を加熱するヒータと、便座の温度を検知する温度検知素子と、便器内脱臭を行う脱臭手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記脱臭手段を所定時間駆動する便座装置。
【請求項４】
便座内部に配設された便座表面を加熱するヒータと、便座の温度を検知する温度検知素子と、人体局部の乾燥を行う乾燥手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記乾燥手段を所定時間駆動する便座装置。
【発明の詳細な説明】
【技術分野】
【０００１】
本発明は、高温殺菌により高温になった便座を、短時間で便座を適した温度まで下げる便座装置に関するものである。
【背景技術】
【０００２】
従来、この種の便座装置は、特開２０００−１４５９８公報に記載されているようなものがあった。即ち室温から短時間で便座温度を上昇させることを目的とした。
【０００３】
図５において従来のトイレ装置は、内部に空洞部１４が形成された便座１１と、空洞部１４に設けられた輻射型発熱体であるランプヒーター１２とを有し、輻射型発熱体であるランプヒーター１２からの輻射熱を着座する便座１１の表面に瞬時に伝え、採暖面をすばやく昇温させるというものであった。
【特許文献１】特開２０００−１４５９８号公報
【発明の開示】
【発明が解決しようとする課題】
【０００４】
しかしながら、前記従来の便座装置では、短時間で便座を昇温させることができるが、便座が適した温度以上になったとき、直ぐに温度が下がらないという課題を有していた。
【０００５】
また、便座装置の場合使用者は便座面を出来るだけ清潔に保ちたいという要求があるので、通常使用する温度よりも高めにして便座表面に付着したカビなどの菌を除く除菌機能を付加する場合があるが、この除菌機能後においても直ぐに温度が下がらないため、着座して火傷する恐れがある、という課題を有していた。
【０００６】
本発明は、前記従来の課題を解決するもので、便座が適した温度以上になったとき、または、除菌機能後などで便座が高温になったとき、直ぐに便座温度を適した温度まで下げる構成にした便座装置を提供することを目的とする。
【課題を解決するための手段】
【０００７】
前記従来の課題を解決するために、本発明の便座装置は、便座を開閉する駆動手段を備え、使用後にヒータを所定温度に上昇させる便座除菌モードに切り換え、前記便座除菌モード終了後、前記便座の開閉を所定回数行うこととしたものである。
【０００８】
これによって、高温になっている便座温度を短時間で適温まで下げることとなり、清潔で安全性の高い便座装置を提供することにしたものである。
【０００９】
また、本発明の便座装置は、便蓋を開閉する駆動手段備え、使用後にヒータを所定温度に上昇させる便座除菌モードに切り換え、前記便座除菌モード終了後、前記便蓋の開閉を所定回数行うこととしたものである。
【００１０】
これによって、高温になっている便座温度を短時間で適温まで下げることとなり、清潔で安全性の高い便座装置を提供することにしたものである。
【００１１】
また、本発明の便座装置は、便器内脱臭を行う脱臭手段を備え、使用後にヒータを所定温度に上昇させる便座除菌モードに切り換え、前記便座除菌モード終了後、前記脱臭手段を所定時間駆動することとしたものである。
【００１２】
これによって、高温になっている便座温度を短時間で適温まで下げることとなり、清潔で安全性の高い便座装置を提供することにしたものである。
【００１３】
また、本発明の便座装置は、人体局部の乾燥を行う乾燥手段を備え、使用後にヒータを所定温度に上昇させる便座除菌モードに切り換え、前記便座除菌モード終了後、前記乾燥手段を所定時間駆動することとしたものである。
【００１４】
これによって、高温殺菌により高温になっている便座温度を短時間で適温まで下げることとなり、清潔で安全性の高い便座装置を提供することとなる。
【発明の効果】
【００１５】
本発明の便座装置は、高温除菌作用により便座が高温のとき、便座の温度を適温まで下げる機能を備えることにより、短時間で便座の温度を下げることができ、清潔で安全性の高い便座装置を提供することができる。
【発明を実施するための最良の形態】
【００１６】
第１の発明は便座内部に配設された便座表面を加熱するヒータと、便座の温度を検知する温度検知素子と、便座を開閉する駆動手段と、着座検知を行う着座検知手段と、制御部を備え、各部の構成部材を制御する制御部は、前記着座検知手段が使用者の便座からの起立を検知後にヒータを所定温度に上昇させる便座除菌モードに切り換え、便座除菌モード終了後、便座の開閉を所定回数行うことにより、便座内に蓄積された熱を、便座の開閉動作で発生する気流により、空気中への放散を促進することとなり、高温になった便座温度を短時間で適温まで下げることができる。
【００１７】
第２の発明は便座内部に配設された便座表面を加熱するヒータと、便座の温度を検知する温度検知素子と、便蓋を開閉する駆動手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記便蓋の開閉を所定回数行うことにより、便座内に蓄積された熱を、便蓋の開閉動作で発生する気流により、空気中への放散を促進することとなり、高温になった便座温度を短時間で適温まで下げることができる。
【００１８】
第３の発明は便座内部に配設された便座表面を加熱するヒータと、便座の温度を検知する温度検知素子と、便器内脱臭を行う脱臭手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記脱臭手段を所定時間駆動することにより、便座内に蓄積された熱を、脱臭手段の送風機能による送風で、空気中への放散を促進することとなり、高温になった便座温度を短時間で適温まで下げることができる。
【００１９】
第４の発明は便座内部に配設された便座表面を加熱するヒータと、便座の温度を検知する温度検知素子と、人体局部の乾燥を行う乾燥手段と、着座検知を行う着座検知手段と、制御部を備え、前記各部の構成部材を制御する制御部は、前記着座検知手段が使用者の便座からの起立を検知後にヒータを所定温度に上昇させる便座除菌モードに切り換え、前記便座除菌モード終了後、前記乾燥手段を所定時間駆動することにより、便座内に蓄積された熱を、乾燥手段による送風で、空気中への放散を促進することとなり、高温になった便座温度を短時間で適温まで下げることができる。
【００２０】
以下、本発明の実施の形態について、図面を参照しながら説明する。なお、本実施の形態によって本発明が限定されるものではない。
【００２１】
（実施の形態１）
図１は、本発明の第１の実施の形態における便座装置のブロック図を示すものである。
【００２２】
樹脂製の便座１の中にはヒータ２が配設され、通電によって便座１を昇温することができる。同じく便座１の中に配されたサーミスターからなる温度検知素子３は便座１の温度を検知し、制御部６は便座１の表面温度が予め設定された温度になるよう温度検知素子３の検知温度に応じて、通常は設定温度以下の時はＯＮ、それ以外はＯＦＦとなるようヒータ２への通電を制御する。
【００２３】
着座検知手段５は、赤外線を照射し物体からの反射光の有無や、反射光の入射角度によって検出を行う測距センサーなどで構成し、人体が便座１に着座しているか判定することができる。
【００２４】
着座検知手段５によって、人体が着座していないことを判定している時において便座除菌モードに切り換わると、約３０分間便座温度を約５０℃に保つ。これにより便座１の表面に付着したのカビなどの菌を熱的に除くことができる。しかしながら便座１は樹脂製であり、５０℃は着座してもすぐに火傷する温度ではないが使用者を驚かすには十分な温度であるため、便座除菌モード終了後は、できるだけ短時間に便座の温度を通常の使用温度に下げることが望ましい。
【００２５】
そこで本発明は、便座除菌モード終了後、便座１を開閉する駆動手段４にて便座１を所定回数開閉動作させるようにした。便座除菌モード終了時に便座温度が５０℃であった場合、便座１の熱容量があるため、便座温度が４５℃以下に下がるには通常２〜５分程度かかる。従って、便座温度が下がるまで待ちきれずに着座しようとする使用者がいる可能性があるため、便座１を開閉動作させることにより発生する気流で便座１を空冷し、便座温度を素早く下げることができる。
【００２６】
同時に便座１が動作していることで、便座１の温度が高いことを視覚的に使用者に注意喚起する。以上により本実施の形態では、安全性を大きく損なうことなく高温除菌機能という使用者にとって極めて有用な機能を提供することを可能としている。
【００２７】
（実施の形態２）
図２は、本発明の第２の実施の形態における便座装置のブロック図を示すものである。
【００２８】
本実施の形態が実施の形態１と異なる点は、便蓋７と便蓋を開閉する駆動手段８を備えている点である。
【００２９】
なお、実施の形態１と同一符号のものは同一構造を有し、再度の説明は省略する。
【００３０】
上記構成により、便座除菌モード終了後、便蓋７を開閉する駆動手段８で便蓋７を所定回数開閉動作させることにより、便蓋７を開閉動作で発生する気流で便座１を空冷し、便座温度を素早く下げることができる。
【００３１】
同時に便蓋７が駆動していることで、便座１の温度が高いことを視覚的に使用者に注意喚起する。以上により本実施の形態では、安全性を大きく損なうことなく高温除菌機能という使用者にとって極めて有用な機能を提供することを可能としている。
【００３２】
（実施の形態３）
図３は、本発明の第３の実施の形態におけるおける便座装置のブロック図を示すものである。
【００３３】
本実施の形態が実施の形態１および２と異なる点は、便器内の臭気を吸気して脱臭する脱臭手段９を備えている点である。
【００３４】
なお、実施の形態１および２と同一符号のものは同一構造を有し、再度の説明は省略する。
【００３５】
上記構成により、便座除菌モード終了後、便器内を脱臭する脱臭手段９を動作させることにより、脱臭手段の送風機能による送風で便座１を空冷し、便座温度を素早く下げることができる。
【００３６】
同時に脱臭手段９が動作していることで、便座１の温度が高いことを聴覚的に使用者に注意喚起する。以上により本実施の形態では、安全性を大きく損なうことなく高温除菌機能という使用者にとって極めて有用な機能を提供することを可能としている。
【００３７】
（実施の形態４）
図４は、本発明の第４の実施の形態におけるおける便座装置のブロック図を示すものである。
【００３８】
本実施の形態が他の実施の形態と異なる点は、人体局部の乾燥を行う送風機能を有する乾燥手段１０を備えている点である。
【００３９】
なお、他の実施の形態と同一符号のものは同一構造を有し、再度の説明は省略する。
【００４０】
上記構成により、便座除菌モード終了後、乾燥手段１０を所定時間駆動させることにより、乾燥手段の送風機能による送風で便座１を空冷し、便座温度を素早く下げることができる。
【００４１】
同時に乾燥手段１０が駆動していることで、便座１の温度が高いことを聴覚的に使用者に注意喚起する。以上により本実施の形態では、安全性を大きく損なうことなく高温除菌機能という使用者にとって極めて有用な機能を提供することを可能としている。
【産業上の利用可能性】
【００４２】
以上のように、本発明にかかる便座装置は、高温部の温度を短時間に下げることができるので、ヒータを備えた他の熱機器等の用途にも適用できる。
【図面の簡単な説明】
【００４３】
【図１】本発明の実施の形態１における便座装置のブロック図
【図２】本発明の実施の形態２における便座装置のブロック図
【図３】本発明の実施の形態３における便座装置のブロック図
【図４】本発明の実施の形態４における便座装置のブロック図
【図５】従来の便座装置のブロック図
【符号の説明】
【００４４】
１  便座
２  ヒータ
３  温度検知素子
４  便座駆動手段
５  着座検出手段
６  制御部
７  便蓋
８  便蓋駆動手段
９  脱臭手段
１０  乾燥手段
【図１】
2006314359.tif 000003
【図２】
2006314359.tif 000004
【図３】
2006314359.tif 000005
【図４】
2006314359.tif 000006
【図５】
2006314359.tif 000007